(57)【要約】【課題】砂などの異物が噛み込み難いスライダーのスライド及び位置決め構造を提供する。【解決手段】本発明のスライダーのスライド及び位置決め構造は、軸体32の突設された基台30と、前記軸体の直径と略一致する内径を有する複数の位置決め用孔51,52を繋げて形成され、位置決め用孔どうしの連繋部分が対向した突部53,54をなすスライド用孔50が開設されたスライダー40と、を具え、前記軸体を前記スライダーのスライド用孔に挿入してなるスライダーのスライド及び位置決め構造であって、前記スライド用孔は、前記突部に近接する内周面の少なくとも一方に逃し凹部55が凹設されている。【選択図】図４
2014134714.tif 000002
【特許請求の範囲】
【請求項１】
軸体の突設された基台と、
前記軸体の直径と略一致する内径を有する複数の位置決め用孔を繋げて形成され、位置決め用孔どうしの連繋部分が対向した突部をなすスライド用孔が開設されたスライダーと、
を具え、前記軸体を前記スライダーのスライド用孔に挿入してなるスライダーのスライド及び位置決め構造であって、
前記スライド用孔は、前記突部に近接する内周面の少なくとも一方に逃し凹部が凹設されている、
ことを特徴とするスライダーのスライド及び位置決め構造。
【請求項２】
前記逃し凹部は、前記突部の両側に凹設されている、請求項１に記載のスライダーのスライド及び位置決め構造。
【請求項３】
前記対向した突部は、非対称形状である、請求項１又は請求項２に記載のスライダーのスライド及び位置決め構造。
【請求項４】
前記スライダーは、前記スライド用孔の長手方向に近接して沿う抜き孔が開設されている、請求項１乃至請求項３の何れかに記載のスライダーのスライド及び位置決め構造。
【請求項５】
請求項１乃至請求項４の何れかに記載のスライダーのスライド及び位置決め構造を、蓋体のロック機構に採用した電子機器。
【発明の詳細な説明】
【技術分野】
【０００１】
本発明は、スライダーをスライド可能且つ位置決め可能に配置した構造に関するものである。
【背景技術】
【０００２】
デジタルカメラなどの電子機器において、電池収容室等の蓋体のロックや、スイッチ等の操作用つまみとしてスライダーが採用されている。
【０００３】
スライダーは、ロック及びロック解除、スイッチのオン及びオフを切り替えるために、スライド可能且つ位置決め可能に配備される。
【０００４】
例えば、出願人は、図５に示すスライダーのスライド及び位置決め構造を提案している。
【０００５】
図５は、スライダーのスライド及び位置決め構造を、電子機器の蓋体のロック機構に採用した蓋体の背面図である。
【０００６】
図に示すように、スライダー(40)は、蓋体(20)の基台(30)にスライド可能且つ位置決め可能に配備されている。
【０００７】
より詳細には、スライダー(40)には、２つの円形の位置決め用孔(51)(52)を繋げて軸体(32)をスライド可能とした長孔形状のスライド用孔(50)が開設されている。スライド用孔(50)は、位置決め用孔(51)(52)どうしの連繋部分が突部(59)となっている。
【０００８】
前記スライド用孔(50)は、蓋体(20)の背面から突出された円筒状の軸体(32)に嵌まり、スライダー(40)のスライド及び位置決め構造が構成される。
【０００９】
スライダー(40)をスライドさせることで、相対的に軸体(32)が、一方の位置決め用孔(51)又は(52)から突部(59)を乗り越え、他方の位置決め用孔に嵌まって位置決めが行なわれる。
【００１０】
スライド用孔(50)は、軸体(32)の位置決め時のがたつきを抑えるために、夫々の位置決め用孔(51)(52)の内周面の形状が、軸体(32)と略一致するように形成されている。
【発明の概要】
【発明が解決しようとする課題】
【００１１】
電子機器は、水中や川辺、海辺などでの使用が想定される。特に、防水型の電子機器には、このような環境での使用頻度も高まる。
【００１２】
上記の如き使用環境下において、上記スライダー(40)のスライド及び位置決め構造を搭載した電子機器を使用すると、軸体(32)と位置決め用孔(51)又は(52)の内周面との間に砂が噛み込んでしまうことがある。
【００１３】
図５において丸Ｃで囲んだ位置に砂が噛み込むと、スライダー(40)をスライドさせようとしても、軸体(32)がスライダー(40)の突部(59)(59)を乗り越えることができず、操作不能となることがある。
【００１４】
本発明の目的は、砂などの異物が噛み込み難いスライダーのスライド及び位置決め構造を提供することである。
【課題を解決するための手段】
【００１５】
上記課題を解決するために、本発明のスライダーのスライド及び位置決め構造は、
軸体の突設された基台と、
前記軸体の直径と略一致する内径を有する複数の位置決め用孔を繋げて形成され、位置決め用孔どうしの連繋部分が対向した突部をなすスライド用孔が開設されたスライダーと、
を具え、前記軸体を前記スライダーのスライド用孔に挿入してなるスライダーのスライド及び位置決め構造であって、
前記スライド用孔は、前記突部に近接する内周面の少なくとも一方に逃し凹部が凹設されている。
【発明の効果】
【００１６】
本発明に係るスライダーのスライド及び位置決め構造によれば、スライド用孔には、突部に近接して逃し凹部を設けているから、万一突部と軸体との間に砂が噛み込んだとしても、蓋体の内部に開口から水を入れて振り動かすことで、逃し凹部に水流が入り込み、噛み込んだ砂を洗い流すことができる。これにより、スライダーのスムーズにスライドさせることができる。
【図面の簡単な説明】
【００１７】
【図１】図１は、本発明のスライダーのスライド及び位置決め構造を適用することのできる電子機器の斜視図である。
【図２】図２は、図１の電子機器の蓋体を開いた状態を示す斜視図である。
【図３】図３は、本発明のスライダーのスライド及び位置決め構造を具える蓋体の要部分解斜視図である。
【図４】図４は、本発明のスライダーのスライド及び位置決め構造を具える蓋体の要部背面図であって、防水パッキン及び抑えプレートを取り外した状態を示している。
【図５】図５は、背景技術に挙げたスライダーのスライド及び位置決め構造を具える蓋体の要部背面図である。
【発明を実施するための形態】
【００１８】
以下、本発明のスライダーのスライド及び位置決め構造を電子機器に適用した形態について、図面に沿って具体的に説明する。
【００１９】
図１は、電子機器の一例であるデジタルカメラの斜視図である。デジタルカメラは、撮像レンズ(11)及びシャッターボタン(12)が配備されて、防水構造を有する筺体(10)の側部に、ヒンジ機構(13)を介して蓋体(20)が開閉可能に枢支されている。
【００２０】
蓋体(20)には、外装となる基台(30)に、蓋体(20)の開閉を行なうためのスライダー(40)の操作用つまみ(41)が臨出する開口(31)が形成されており、操作用つまみ(41)をスライドさせることにより、蓋体(20)を開閉可能となっている。
【００２１】
図２は、スライダー(40)を操作して、蓋体(20)を開いた状態を示している。筺体(10)の内部には、メモリーカード(14)及びバッテリー(15)を収容するための収容室(16)が形成されている。蓋体(20)を開くことで、メモリーカード(14)やバッテリー(15)の挿脱を行なうことができる。
【００２２】
蓋体(20)の背面側(収容室(16)側)には、ゴム製のパッキン(21)が取り付けられており、蓋体(20)を閉じることで、収容室(16)の防水性が確保される。
【００２３】
図３は、パッキン(21)を取り外した蓋体(20)の要部分解斜視図である。また、図４は、次に説明する抑えプレート(60)を取り外した蓋体(20)の要部背面図である。
【００２４】
図に示すように、蓋体(20)は、周面が内向きに屈曲した基台(30)と、該基台(30)にスライド可能且つ位置決め可能に配置されるスライダー(40)と、スライダー(40)の脱落を阻止する抑えプレート(60)(図３参照)を具える。
【００２５】
基台(30)には、前述のとおり、スライダー(40)の操作用つまみ(41)が臨出する開口(31)(図１参照)が形成されると共に、裏面側に図３に示すように軸体(32)が突設される。軸体(32)は、外周円形の円筒状又は中実円柱体とすることができ、図示の実施例では、軸体(32)を開口(31)に隣接して設けている。また、基台(30)の裏面には、抑えプレート(60)をネジ(22)止めするためのボス(34)が形成されている。
【００２６】
軸体(32)は、基台(30)と抑えプレート(60)との間でスライダー(40)が摺動可能な高さに形成される。軸体(32)の先端は、抑えプレート(60)の取付孔(61)に挿入可能となっている。
【００２７】
スライダー(40)は、樹脂の一体成型により作製することができる。スライダー(40)は、基台(30)側に開口(31)から臨出する操作用つまみ(41)が形成されており(図１参照)、一方の端部に蓋体(20)を筺体(10)にロックするための掛かり片(42)が突設されている。該掛かり片(42)は、スライダー(40)を図３及び図４中矢印Ａで示す方向にスライドさせたときに、図示省略する筺体(10)の受け凹部に嵌まり、蓋体(20)が開くことを阻止する。また、スライダー(40)を図３及び図４中矢印Ｂで示す方向にスライドさせると、掛かり片(42)は後退して、筺体(10)の受け凹部から抜けて、蓋体(20)の開閉が可能な状態となる。
【００２８】
スライダー(40)の一方の面又は両面には、１又は複数の突条(43)が形成されており、スライダー(40)が基台(30)及び／又は抑えプレート(60)と面接触することを避けて、スライダー(40)の摺動性を高めるようにしている。
【００２９】
スライダー(40)には、図３及び図４に示すように、前記基台(30)から突設された軸体(32)が相対的にスライド可能且つ位置決め可能に嵌まるスライド用孔(50)が形成されている。
【００３０】
スライド用孔(50)は、複数の位置決め用孔(51)(52)を繋げて形成することができる。図示では、位置決め用孔(51)(52)は２つであり、スライダー(40)は、２位置で位置決め可能となっている。
【００３１】
位置決め用孔(51)(52)は、軸体(32)の外周形状、即ち、円形に略一致する円形形状であり、内径は軸体(32)の直径と略一致或いは僅かに軸体(32)の直径よりも大きく形成される。
【００３２】
位置決め用孔(51)(52)は、隣接する位置決め用孔と重なるように繋がった連環状とすることができる。
【００３３】
スライド用孔(50)は、隣接する位置決め用孔(51)(52)どうしの連結部分が対向した突部(53)(54)を形成するように、幅方向に狭くなっており、対向する突部(53)(54)間に形成される空隙は、軸体(32)の直径よりも小さくなっている。
【００３４】
対向する突部(53)(54)の形状は、対称形状とすることができるが、図３及び図４に示すように、非対称の形状としてもよい。非対称の場合の作用効果は後述する。
【００３５】
スライド用孔(50)は、図３及び図４に示すように、突部(53)(54)に近接する内周面の少なくとも一方、望ましくは両方に逃し凹部(55)(55)が凹設されている。逃し凹部(55)は、図４に示すように、位置決め用孔(51)(52)(図４では(51))に軸体(32)が嵌った状態で、軸体(32)との間に形成される隙間となる。
【００３６】
また、スライダー(40)には、スライド用孔(50)の長手方向に近接して抜き孔(56)がスライド用孔(50)に沿うように開設されている。かかる構成とすることで、スライド用孔(50)と抜き孔(56)に挟まれた杆状の繋ぎ部(57)にバネ性をもたせることができる。これにより、軸体(32)が突部(53)(54)間を通過したときに、繋ぎ部(57)が撓み、軸体(32)が突部(53)(54)間を容易に通過することができる。
【００３７】
なお、抜き孔(56)は、図に示すようにスライド用孔(50)の長手方向の一方に設けてもよいし、スライド用孔(50)の長手方向の両方に形成することもできる。また、繋ぎ部(57)にバネ性が付与されれば、抜き孔(56)はスライド用孔(50)の全長に亘って設ける必要はない。
【００３８】
上記構成のスライダー(40)は、図４に示すようにスライド用孔(50)の何れかの位置決め用孔(51)(52)に軸体(32)を挿入して基台(30)に装着され、抑えプレート(60)により脱落不能となるように覆われる。
【００３９】
抑えプレート(60)は、図３に示すように、一端にヒンジ機構(13)を構成するフランジ(63)が形成されており、先端に前記スライダー(40)の掛かり片(42)が後退可能となる凹み(62)が形成されている。
【００４０】
また、抑えプレート(60)には、前記軸体(32)の先端が挿入される取付孔(61)と、基台(30)のボス(34)へネジ(22)止めするための貫通孔(64)がボス(34)と対向する位置に形成されている。抑えプレート(60)は、スライダー(40)を基台(30)に取り付けた状態で、軸体(32)の先端を取付孔(61)に挿入し、貫通孔(64)とボス(34)とをネジ(22)止めすることで基台(30)に取り付けられる。
【００４１】
上記構成のスライダー(40)のスライド及び位置決め構造において、図４に示すように、スライド用孔(50)の一方の位置決め用孔(51)に軸体(32)が位置している状態では、突部(53)(54)が軸体(32)の移動を規制しており、軸体(32)の周面は位置決め用孔(51)の内周面に当接しているから、スライダー(40)の自由な移動は規制され、がたつきも阻止される。
【００４２】
図４は、掛かり片(42)が突出したロック状態を示しており、この状態から、操作用つまみ(41)(図１)を操作して、図４の矢印Ｂ方向にスライダー(40)をスライドさせると、スライダー(40)に対して相対的に軸体(32)が、位置決め用孔(51)から突部(53)(54)を乗り越えて移動し、他方の位置決め用孔(52)に嵌まって位置決めが行なわれる。スライダー(40)の後退スライドに伴って、突出していた掛かり片(42)も後退し、ロック解除状態となって、蓋体(20)の開閉を行なうことができる。
【００４３】
軸体(32)が突部(53)(54)を乗り越えるときに、突部(53)をバネ性のある繋ぎ部(57)に形成しておくことで、軸体(32)の通過の際に繋ぎ部(57)が撓んで、軸体(32)は突部(53)(54)を容易に乗り越えることができ、操作性が高まると共に、スライダー(40)の操作にクリック感を付与することができる。また、繋ぎ部(57)が撓むことで、軸体(32)と突部(53)(54)との接触抵抗が小さくなり、軸体(32)及び突部(53)(54)の摩耗を抑えることができる。
【００４４】
軸体(32)が他方の位置決め用孔(52)に位置している状態においても、突部(53)(54)が軸体(32)の移動を規制しており、軸体(32)の周面は位置決め用孔(52)の内周面に当接しているから、スライダー(40)の自由な移動は規制され、がたつきも阻止される。
【００４５】
スライダー(40)が後退した状態から、図４に示す掛かり片(42)が突出したロック状態へのスライドについても、スライド方向が図４の矢印Ａ方向となるだけで、上記と同様である。
【００４６】
水中や川辺、海辺などでデジタルカメラを使用したときに、蓋体(20)の開口(31)から蓋体(20)の内部に砂などの異物が混入することがある。この場合、図５で示した構造では、丸Ｃで囲んだ部分に砂が噛み込むとデジタルカメラを水洗いしても、噛み込んだ砂は取り去ることが困難であり、スライダー(40)の操作ができなくなる虞があった。
【００４７】
一方、本発明では、図３及び図４に示すように、スライド用孔(50)には、突部(53)(54)に近接して逃し凹部(55)を設けているから、万一突部(53)(54)と軸体(32)との間に砂が噛み込んだとしても、蓋体(20)の内部に開口(31)から水を入れて、デジタルカメラを振り動かすことで、逃し凹部(55)に水流が入り込み、噛み込んだ砂を洗い流すことができる。
【００４８】
上記のように、砂などの異物が噛み込んでも、水洗いにより異物を除去でき、スライダー(40)をスムーズにスライドさせることができる。
【００４９】
なお、メモリーカード(14)及びバッテリー(15)を収容する収容室(16)は、スライダー(40)よりも内側に設けられたパッキン(21)で塞がれているから、デジタルカメラの防水性は担保されていることは勿論である。
【００５０】
図３及び図４では、対向する突部(53)(54)について、繋ぎ部(57)に形成された突部(53)と対向する突部(54)を非対称形状としており、より具体的には、繋ぎ部(57)に形成された突部(53)をなだらかな勾配とし、他方の突部(54)を略矩形の急峻な勾配としている。
【００５１】
繋ぎ部(57)の突部(53)をなだらかな勾配としたのは、バネ性のある繋ぎ部(57)の撓みを穏やかに行なうためである。
【００５２】
また、他方の突部(54)を急峻な勾配としたのは、該突部(54)を軸体(32)が乗り越えた後、位置決め用孔(51)又は(52)に落ち込むことで、クリック感を高めることができるからである。
【００５３】
本発明の各部構成は上記実施の形態に限らず、特許請求の範囲に記載の技術的範囲内で種々の変形が可能である。
【００５４】
例えば、上記実施形態においては、スライダー(40)に位置決め用孔(51)(52)、突部(53)(54)及び逃し凹部(55)を含むスライド用孔(50)を設け、基台(30)に軸体(32)を形成しているが、スライダー(40)に軸体(32)を形成し、基台(30)にスライド用孔(50)を設ける構成とすることもできる。
【００５５】
本発明のスライダーのスライド及び位置決め構造は、その用途がデジタルカメラに限定されるものではなく、携帯電話機やスマートフォン、ＰＤＡ(Personal  Digital  Assistant)、ビデオカメラ等の種々の電子機器にも採用できることは勿論であり、防水型の電子機器への適用に特に好適である。また、その適用は、電子機器に限定されるものでもない。
【００５６】
また、上記実施形態では、スライダーは、蓋体のロックのためのものであるが、スライド式のスイッチ等のスライド及び位置決め構造にも勿論適用することができる。
【産業上の利用可能性】
【００５７】
本発明は、砂などの異物が噛み込み難いスライダーのスライド及び位置決め構造及びこれを具えた電子機器として有用である。
【符号の説明】
【００５８】
(10)  筺体
(20)  蓋体
(30)  基台
(32)  軸体
(40)  スライダー
(50)  スライド用孔
(51)  位置決め用孔
(52)  位置決め用孔
(55)  逃し凹部
(56)  抜き孔
(57)  繋ぎ部
(60)  抑えプレート
【図１】
2014134714.tif 000003
【図２】
2014134714.tif 000004
【図３】
2014134714.tif 000005
【図４】
2014134714.tif 000006
【図５】
2014134714.tif 000007